(57)【要約】【課題】従来の二酸化塩素製品の欠点である使用期間を長くして、その二酸化塩素による強力な殺菌力をできるだけ長く利用することができるようにした携帯用除菌装置を提供する【解決手段】本携帯用除菌装置１は、二酸化塩素の錠剤などを所定の容器２に入れて持ち歩き可能としたものであって、前記容器２に開閉自在な穴部３を備えたことを特徴とするものである。これにより、従来の二酸化塩素製品の欠点である使用期間を長くして、その二酸化塩素による強力な殺菌力をできるだけ長く利用することができるようになった。【選択図】図１
0003181977.tif 000002
【実用新案登録請求の範囲】
【請求項１】
錠剤又は紛体状の二酸化塩素若しくは該二酸化塩素の担持体を所定の容器に入れて持ち歩き可能とした携帯用除菌装置であって、
前記容器に開閉自在な穴部を備えたことを特徴とする携帯用除菌装置。
【請求項２】
前記穴部の開き具合を調整する調整部を備えたことを特徴とする請求項１記載の携帯用除菌装置。
【請求項３】
前記穴部の開き具合を表示する表示部を備えたことを特徴とする請求項２記載の携帯用除菌装置。
【請求項４】
前記調整部は前記表示部を兼ねることを特徴とする請求項３記載の携帯用除菌装置。
【請求項５】
前記容器を被服に係止する係止部を備えたことを特徴とする請求項１〜４のいずれか１項に記載の携帯用除菌装置。
【請求項６】
前記容器をさらに真空パックに封入したことを特徴とする請求項１〜５のいずれか１項に記載の携帯用除菌装置。
【考案の詳細な説明】
【技術分野】
【０００１】
本考案は、使用者が持ち歩き可能な携帯用除菌装置に関するものである。
【背景技術】
【０００２】
従来、使用者が持ち歩き可能な携帯用除菌装置として、二酸化塩素を用いたものが種々考案されている。この二酸化塩素が、消臭、除菌に優れた効果のあることは周知であるが、気体あるいは液体状で使用するときには発散消滅してしまうため、一般的にはその効果を持続させることが困難であった。すなわち、二酸化塩素が空気中の水分に反応して、ガス化して大気中に放出され、場合によっては相違があるものの、きわめて短期間にその効力を失うといった問題があった。
【０００３】
そこで、例えば特許文献１では、二酸化塩素ガスを放出する安定化二酸化塩素錠剤を通気性の優れた素材の中袋に入れ、さらにこれを通気性のない素材の外袋に入れ、外袋の開口部を密閉できる錠剤用袋が開示されている。この場合、錠剤製造後、外袋を開封しなければ、数ヶ月間錠剤の効力を維持できる。そして、使用時に外袋を開封し、中袋ごと使用すれば、１ヶ月以上消臭・除菌の効果を発揮できると記載されている。
【０００４】
また、特許文献２では、外部に露出する表地を有する被服において、一部が外部と連通する挿入空間（ポケットに似た構造である。）を有し、挿入空間と表地との間には遮蔽部材が設けられており、前記挿入空間内にガス放出部材が取り出し可能な状態で内蔵されており、ガス放出部材は自然環境下において殺菌効果または減菌効果を有するガスを放出する薬剤（例えば、二酸化塩素を担体に担持させたものである。）が袋詰めされたものが開示されている。この被服は、殺菌効果又は減菌効果を有するガスを放出し、放出されたガスは、着用者の近傍に漂って着用者の周囲に滅菌雰囲気又は殺菌雰囲気を作る。そのため、着用者の近傍に近づいた菌は死滅あるいは活性が弱り、着用者にインフルエンザ等の病気を感染させないと記載されている。
【考案の概要】
【考案が解決しようとする課題】
【０００５】
ところが、二酸化塩素ガスにはかなり強い臭いがあるので、その持ち込みが制限されることがある。前記従来技術１では、二酸化塩素の使用時に外袋を開封し、中袋ごと使用すれば、１ヶ月以上消臭・除菌の効果を発揮できるものの、前記持ち込みが制限される場所に入るときには取り外し、前記持ち込みが制限される場所を出て行くときには再び取り付けることになり、それらに手間がかかるといった問題があった。また、その取り外しておいた期間には、二酸化塩素が空気中で吸湿するのを防いで、消臭・除菌の効果をできるだけ長く維持したいといった要請があった。その場合、外袋をも持ち歩くことも考えられるが、いかにも不便であり、その外袋だけを紛失してしまうおそれもあった。
【０００６】
また、前記従来技術２では、挿入空間の切れ目をボタンで封鎖する構成をとっているが、この切れ目が完全に封鎖されることがない点で、やはり上記と同様の問題があった。
【０００７】
本考案は、このような事情に鑑みてなされたもので、従来の二酸化塩素製品の欠点である使用期間を長くして、その二酸化塩素による強力な殺菌力をできるだけ長く利用することができるようにした携帯用除菌装置を提供することを目的とする。
【課題を解決するための手段】
【０００８】
本考案は、錠剤又は紛体状の二酸化塩素若しくは該二酸化塩素の担持体を所定の容器に入れて持ち歩き可能とした携帯用除菌装置であって、前記容器に開閉自在な穴部を備えたことを特徴とするものである。
【０００９】
本考案によれば、前記容器に開閉自在な穴部を備えたので、その持ち込みが制限されるときであっても、それを取り外すことなく、穴部を閉止しておけばよいので、便利である。また、その穴部を閉止しておいた期間には、二酸化塩素は、空気中で吸湿しにくくなる。したがって、従来の二酸化塩素製品の欠点である使用期間を長くして、その二酸化塩素による強力な消臭・殺菌力をできるだけ長く利用することができるようになる。
【００１０】
また、厨房内などのノロウイルス等の菌による食中毒が発生し、それが報道されている。かかる厨房内などでは、二酸化塩素の臭いを抑えながら、その除菌効果を利用したい。そこで、前記穴部の開き具合を調整する調整部を備えることが好ましい。
【００１１】
この場合、前記穴部の開き具合を調整する調整部を備えたので、過剰なガスが放出されないように、穴部を部分的に閉止できて便利である。
【００１２】
また、前記穴部の開き具合を表示する表示部を備えることが好ましい。
【００１３】
この場合、前記穴部の開き具合を表示する表示部を備えたので、使用者はその穴部の開き具合を知ることができて便利である。
【００１４】
また、前記調整部は前記表示部を兼ねることが好ましい。
【００１５】
この場合、前記調整部は前記表示部を兼ねるので、部品点数が減少して製造コストを抑えることができるとともに、その製品の軽量化やコンパクト化にもつながる。すなわち、携帯用除菌装置にとっては、単に低価格であるだけでなく、その製品の軽量化やコンパクト化が一般に普及するための条件でもある。
【００１６】
また、前記容器を被服に係止する係止部を備えることが好ましい。具体的な係止部としてはバネ式クリップなどを含む。
【００１７】
また、前記容器をさらに真空パックに封入することが好ましい。
【００１８】
この場合、前記容器をさらに真空パックに封入したので、最初の使用前に容器に入れた二酸化塩素が吸湿して、発散・消滅しにくくなる。
【考案の効果】
【００１９】
本考案によれば、前記容器に開閉自在な穴部を備えたので、その持ち込みが制限されるときであっても、それを取り外すことなく、穴部を閉止しておけばよいので、便利である。また、その穴部を閉止しておいた期間には、二酸化塩素は、空気中で吸湿しにくくなる。したがって、従来の二酸化塩素製品の欠点である使用期間を長くして、その二酸化塩素による強力な消臭・殺菌力をできるだけ長く利用することができるようになる。
【図面の簡単な説明】
【００２０】
【図１】本考案の一実施形態に係る携帯用除菌装置の全体構成を示す斜視図である。
【図２】本携帯用除菌装置の説明図であって、（ａ）は正面図、（ｂ）は（ａ）におけるＡ−Ａ矢視断面図、（ｃ）は平面図、（ｄ）は（ａ）におけるＢ矢視部分の拡大図である。
【図３】本携帯用除菌装置の穴部の開閉動作を示す説明図であって、（ａ）は全開状態、（ｂ）は部分開状態、（ｃ）は全閉状態を示す。
【図４】本携帯用除菌装置の使用例を示す説明図である。
【考案を実施するための形態】
【００２１】
図１は本考案の一実施形態に係る携帯用除菌装置１の全体構成を示す斜視図、図２は本携帯用除菌装置の説明図であって、（ａ）は正面図、（ｂ）は（ａ）におけるＡ−Ａ矢視断面図、（ｃ）は平面図、（ｄ）は（ａ）におけるＢ矢視部分の拡大図である。図１に示すように、この携帯用除菌装置１は、主として合成樹脂材料や軽量金属材料などからなっており、例えば二酸化塩素の錠剤８を入れた容器２と、この容器２を透明な袋などに減圧下で封入した真空パック７とを備えている。
【００２２】
容器２は、図２（ａ）〜（ｃ）に示すように、例えば小型のマッチ箱程度の大きさの略直方体状をなしており、正面側と背面側とに二分割可能となっている。このうちの正面側には、左右方向の略中央でかつ下寄りに設けられた穴部３と、この穴部３を開閉するフラップ（翼状部材）４と、フラップ４の開き具合（又は閉まり具合）を調整するノブ（取っ手）５と、が備わっている。また、背面側には、係止部としてのバネ式クリップ６が備わっている。
【００２３】
穴部３は、図４（ｄ）に示すように、容器２に形成された所定径の丸穴９と、そのまわりを補強するリング３ａとからなっており、そのリングの正面側に所定ピッチの目盛３ｂが刻まれている。また、そのリング３ａの内側には段部３ｃを有している。
【００２４】
フラップ４は、穴部３を４等分する扇型のうちの２つを点対称に接続した鼓状のステータフラップ４ａと、残りの２つを点対称に接続した鼓状のロータフラップ４ｂとからなっている。そして、ステータフラップ４ａは、前記穴部３のリング３ａの段部３ｃと容器２との間に形成される空間の奥側にあって、容器２に固定されて回転不可能となっている。一方、ロータフラップ４ｂは、同空間の手前側にあって、回転可能となっている。
【００２５】
ノブ５は、前記穴部３のリング３ａに嵌めこまれる程度の長さを有する断面四角形の棒状部材であって、先端側がリング３ａから突出するとともに、基端側がロータフラップ４ｂに固定されている。
【００２６】
そして、ノブ５を使用者が摘んで回転させることにより、ロータフラップ４ｂを回転させ、ロータフラップ４ｂとステータフラップ４ａとの重なる部分を調整して、両フラップ４ａ，４ｂで邪魔されない丸穴９の面積を増減するようになっている（調整部としての機能である）。
【００２７】
また、回転させたノブ５の一端側が示す、前記穴部３のリング３ａに刻まれた目盛３ｂから、前記丸穴９の現在の面積を凡そ知ることができるようになっている（表示部としての機能である）。
【００２８】
図３は本携帯用除菌装置の穴部の開閉動作を示す説明図であって、（ａ）は全開状態、（ｂ）は部分開状態、（ｃ）は全閉状態を示す。図３（ａ）に示すように、ノブ５が水平であって、ロータフラップ４ｂの回転により、該ロータフラップ４ｂとステータフラップ４ａとが重ならないときに、穴部３が全閉状態となる。また、図３（ｂ）に示すように、ノブ５が傾斜していて、ロータフラップ４ｂとステータフラップ４ａとが部分的に重なったときに、穴部３が部分開状態となる。ここでは、丸穴９の一部がわずかに覗いているが、その面積は、比較的小さいものとなっている。そして、図３（ｃ）に示すように、ノブが垂直であって、ロータフラップ４ｂとステータフラップ４ａとが完全に重なったときに、穴部３が全開状態となる。ここでも、丸穴９の一部が覗いているが、その面積は比較的大きなものとなっている。
【００２９】
ここで、二酸化塩素として、米国ＢＡＳＦ社製のセルトーレＧ（登録商標）を使用したいのであるが、このセルトーレＧは、もともと温泉施設などで殺菌剤として使用されている錠剤（タブレット）であり、セルトーレＧの錠剤は、所定の袋内に密封されており、使用時に袋をカットして取り出すようになっている。
【００３０】
このため、本考案者は、二酸化塩素（セルトーレＧ）の錠剤８を袋から取り出して図示しない布などでくるんでおき、それを予め二分割しておいた容器２の正面側と背面側との間に挟み込んでから両者を封入することで、空気中で吸湿して使用期間が非常に短くならないようにした。このために、容器２を正面側と背面側とで二分割しておいて、その間に前記布でくるんだ二酸化塩素の錠剤８を挟み込んでから両者を合体させてもとの容器２とする。
【００３１】
このセルトーレＧの錠剤を容器２に入れた携帯用除菌装置１について、いわゆる真空パック７を施すようになっている。この真空パック７とは、密封した本体内の空気を吸引して脱気することで、その本体の内部を真空状態にするものである。この本体の材料としては、通常の真空包装に用いられる耐水性、透明性を備えるものであればなんでもよい。具体的には、ポリエチレンフイルム（ＰＥ）、ポリエステルフイルム（ＰＥＴ）、ポリプロピレンフイルム（０ＰＰ）等のフィルム包装袋が挙げられる。
【００３２】
真空パック７は、市販の真空包装機を用いて施すことができる。なお、完全な真空である必要はなく、減圧によって容器２にフィルム包装袋が密着する程度の減圧であればよい。
【００３３】
以下、本携帯用除菌装置１の使用方法について説明する。ここで、図４は本携帯用除菌装置の使用例を示す説明図である。なお、本携帯用除菌装置１の容器２内には、二酸化塩素の錠剤８が布にくるまれた状態で封入されており、その携帯用除菌装置１は真空パック７にさらに封入されているものとする。
【００３４】
使用者１０は、本携帯用除菌装置１を真空パック７から取り出す。そして、ベルト３０の左側付近に本携帯用除菌装置１をクリップ６で弾性的に挟み込んでから、その上にジャケット２０を装着する。
【００３５】
はじめは、本携帯用除菌装置１のノブ５は水平になっており、その状態では穴部３が全閉状態となっているから、このノブ５を手で時計回りに０〜９０度の範囲内で所望の角度だけ回転させる。すると、穴部３が全閉から全開までのいずれかの状態となり、そこから二酸化塩素のガスＧが流れ出てくる。このガスＧは、ジャケット２０裏で案内されて、その襟部から使用者１０の頭部に向かうようになる。
【００３６】
ここで、使用者１０が、例えば厨房のように、二酸化塩素のガスＧなどの強い臭いをできるだけ抑えながら、その除菌効果を利用したいといった場所に入るものとする。このときには、その除菌効果に必要とされる以上の二酸化塩素のガスＧが放出されないようにする必要あるから、本携帯用除菌装置１のノブ５を手で前記所望の角度の半分程度だけ反時計まわりに回転させる。すると、穴部３が半開状態となり、そこから過剰な二酸化塩素のガスＧが流れ出てこなくなる。そして、前記除菌効果に必要とされるだけの少量の二酸化塩素のガスＧが、ジャケット２０裏で案内されて、その襟部から使用者１０の頭部に向かうようになる。
【００３７】
また、使用者１０が、二酸化塩素のガスＧなどの強い臭いがするものをまったく持ち込めない場所に入るときには、二酸化塩素のガスＧを完全に止める必要ある。そのときには、本携帯用除菌装置１のノブ５を手で前記所望の角度と同じ角度だけ反時計まわりに回転させる。すると、穴部３が全閉状態となり、そこから二酸化塩素のガスＧが流れ出てこなくなる。
【００３８】
やがて、使用者１０が前記いずれかの場所の外に出るものとする。このときには、できるだけ多くの二酸化塩素のガスＧが再び流れ出すようにしたいから、前記ノブ５を時計まわりに０〜９０度の範囲内で所望の角度だけ回転させる。すると、穴部３が全閉から全開までのいずれかの状態となり、そこから二酸化塩素のガスＧが流れ出てくる。このガスＧは、ジャケット２０裏で案内されて、その襟部から使用者１０の頭部に向かうようになる。
【００３９】
以上説明したように、本実施形態の携帯用除菌装置１によれば、前記容器２に開閉（調整）自在な穴部３を備えたので、二酸化塩素のガスＧなどの強い臭いがするものをそのまま持ち込めない場所に入るときであっても、その都度、ジャケット２０を前開きにして、そこから携帯用除菌装置１全体をベルト３０から取り外すことなく、その穴部３を部分的あるいは完全に閉止しておくだけでよくなるので、ほとんど手間がかからず非常に便利である。
【００４０】
また、本携帯用除菌装置１の穴部３を完全に閉止しておいた期間中は、二酸化塩素の錠剤８はいわば閉じられた空間内にあるので、その二酸化塩素のガスＧが飽和状態近くとなっているから、それ以上吸湿されることはなくなる。したがって、従来の二酸化塩素製品の欠点である使用期間を長くして、その二酸化塩素のガスＧによる強力な消臭・殺菌力をできるだけ長く利用することができるようになる。
【００４１】
なお、上記実施形態では、容器２の穴部３の開き具合を調整するときには、ノブ５を時計まわりに回転させることにより、ロータフラップ４ｂを同向きに回転させているが、これらの回転方向は逆に設定してもよい。また、ステータフラップ４ａとロータフラップ４ｂとは、穴部３を補強するリング３ａ内に設けられた段部３ｃに嵌め込んでいるが、リング３ａの段部３ｃに代えて、適当な厚みのスペーサやパッキンを設けることとしてもよい。
【００４２】
さらには、ノブ５をダイヤルに代えてもよいし、フラップ４に代えて、スライダで穴部３を開閉するものを採用してもよい。穴部３も丸穴に限定されず長穴であってもよいし、また穴部３は容器２の正面側に１個だけとする必要もまったくない。例えは複数の長穴を容器の側面に設けておき、それを縦長のスライダで順次に開閉することで穴部３の開き具合を調整することとしてもよい。
【００４３】
また、上記実施形態では、二酸化塩素の錠剤８をそのまま布などでくるんで、本携帯用除菌装置１の容器２内に入れているが、この錠剤８を細かく砕いて二酸化塩素の粉末とするか、あるいは、二酸化塩素の担持体として容器２内に入れてもよい。
【００４４】
この容器２内に二酸化塩素の錠剤８などを入れる方法としては、上記のように、容器２を二分割することに代えて、その容器２の任意の面に着脱自在の専用蓋を備えておいてもよい。
【００４５】
また、二酸化塩素の錠剤８などは個人で入手困難であるので、使用者１０自身で二酸化塩素の錠剤８などを入れ換えることは少ないものと想定される。そこで、二酸化塩素の錠剤８などを、本携帯用除菌装置１の製造メーカ側で容器２内に入れて、取り出し不可能となるように封止してもよい。
【００４６】
また、上記実施形態では、ノブ５を連続的に回転させることにより、穴部３の開く具合を無段階で調整し、その穴部３のリング３ａに刻んだ目盛３ｂを見ることで、その穴部３の開き具合を知ることができるようにしているが、例えばノッチ機構を設けることより、ノブ５を断続的に回転させて、穴部３の開き具合を段階的に調整するようにしてもよい。
【００４７】
その場合は、使用者１０は、手探りでノブ５を操作するが、その際に「カチ、カチ」となるノッチ音をカウントすることで、穴部３を所望の開き角度となるように操作できるので、便利である。さらには、ノブ５の回転可能な角度を規制するようなストッパを設けることが好ましい。
【００４８】
また、上記実施形態では、容器２の背面側にバネ式クリップ６を設けており、それを使用者１０がベルト３０に着脱自在に取り付けるようにしているが、これに代えて、容器２の隅に小穴を開けておき、そこにストラップを係止しておくこととしてもよい。その場合には、このストラップを用いて使用者１０の首に、本携帯用除菌装置１を吊り下げるなどしてもよい。その他、あらゆる方式の係止部を設けることとしてもよい。
【００４９】
また、上記実施形態では、本携帯用除菌装置１の容器２を小さなマッチ箱程度の直方体状のものであるとしたが、その容器２の形状や大きさなどはこれに限定されない。ただし、使用者１０が本携帯用除菌装置１を持ち歩きできるものとするためには、できるだけ軽量でコンパクトなものとするのが好ましい。
【符号の説明】
【００５０】
１  携帯用除菌装置
２  容器
３  穴部
３ａ  リング
３ｂ  目盛（表示部に相当する。）
３ｃ  段部
４  フラップ（調整部に相当する。）
４ａ  ステータフラップ
４ｂ  ロータフラップ
５  ノブ（調整部、表示部に相当する。）
６  クリップ（係止部に相当する。）
７  真空パック
８  二酸化塩素の錠剤
１０  使用者
２０  ジャケット
３０  ベルト
【先行技術文献】
【特許文献】
【００５１】
【特許文献１】実用新案登録第３１１２２９３号公報
【特許文献２】特開２０１２−１７７２０９号公報
【図１】
0003181977.tif 000003
【図２】
0003181977.tif 000004
【図３】
0003181977.tif 000005
【図４】
0003181977.tif 000006